(57)【要約】【課題】  入れ歯の取付状態で外側から見えず、構造が簡単で、着脱が容易な入れ歯の取付構造を提供することを目的とする。【解決手段】  歯茎６に存在する支持歯３と、義歯２と義歯床４を有する入れ歯１を備え、支持歯３に入れ歯１を着脱自在に取り付ける入れ歯の取付構造に於て、入れ歯１の支持歯３への取付状態にて、支持歯３の側面に、隣接する義歯２に対向して突隆部５を設け、突隆部５の内側と外側にそれぞれ上下方向に延びる凹溝７が形成され、さらに、入れ歯１には、突隆部５に着脱自在の取付線材13が付設され、かつ、取付線材13は、突隆部５を挟むようにして凹溝７に嵌め込まれる歯茎６側へ開口したＵ字状の嵌合部８と、嵌合部８の内方端から連続して内側へ延びる干渉逃げ部９と、干渉逃げ部９の内方端に連設されると共に義歯床４に埋設される固定部10と、から成るものである。【選択図】  図１
2006081661.tif 000002
【特許請求の範囲】
【請求項１】
歯茎（６）に存在する支持歯（３）と、義歯（２）と義歯床（４）を有する入れ歯（１）を備え、上記支持歯（３）に該入れ歯（１）を着脱自在に取り付ける入れ歯の取付構造に於て、
上記入れ歯（１）の該支持歯（３）への取付状態にて、該支持歯（３）の側面に、隣接する義歯（２）に対向して突隆部（５）を設け、該突隆部（５）の内側と外側にそれぞれ上下方向に延びる凹溝（７）が形成され、
さらに、上記入れ歯（１）には、上記突隆部（５）に着脱自在の取付線材（13）が付設され、かつ、該取付線材（13）は、上記突隆部（５）を挟むようにして上記凹溝（７）に嵌め込まれる上記歯茎（６）側へ開口したＵ字状の嵌合部（８）と、該嵌合部（８）の内方端から連続して内側へ延びる干渉逃げ部（９）と、該干渉逃げ部（９）の内方端に連設されると共に上記義歯床（４）に埋設される固定部（10）と、から成ることを特徴とする入れ歯の取付構造。
【請求項２】
入れ歯（１）の非取付状態に於て、Ｕ字状の嵌合部（８）の弯曲部の内幅寸法（Ｗ1 ）を開口部の内幅寸法（Ｗ2 ）よりも大きく設定し、かつ、弯曲部の内幅寸法（Ｗ1 ）と開口部の内幅寸法（Ｗ2 ）の差を、 0.1mm以上 0.4mm以下に設定した請求項１記載の入れ歯の取付構造。
【請求項３】
上記入れ歯（１）の取付状態で、Ｕ字状の嵌合部（８）の自由端部（14）を外方へ弯曲状とし、該自由端部（14）に歯茎色の樹脂部材（12）を膨出状に被覆して、引掛け部（11）を形成した請求項１又は２記載の入れ歯の取付構造。
【発明の詳細な説明】
【技術分野】
【０００１】
本発明は、入れ歯の取付構造に関する。
【背景技術】
【０００２】
入れ歯を口内に取り付けるための取付構造として、従来では、義歯床の内外の両側面に一対の腕状の保持部材を付設し、この保持部材で義歯と隣接する健全な歯を、内側と外側から挟持するものがあった（例えば、特許文献１参照）。
【特許文献１】実開平７−１３３０８号公報
【発明の開示】
【発明が解決しようとする課題】
【０００３】
しかし、入れ歯を口内に取り付けた状態に於て、従来の入れ歯の取付構造は、外側から目立ち見栄えが良くなかった。また、取付時に腕状の保持部材を揺動させて取り付けるため、取り付けにくく、さらに、保持部材の挟持力確保のために磁石を義歯床内に埋設してあり、構造が複雑で、その取付構造の作製や修理が困難であった。
そこで、本発明は、入れ歯の取付状態で外側から見えず、構造が簡単で、着脱が容易な入れ歯の取付構造を提供することを目的とする。
【課題を解決するための手段】
【０００４】
上記目的を達成するために、本発明に係る入れ歯の取付構造は、歯茎に存在する支持歯と、義歯と義歯床を有する入れ歯を備え、上記支持歯に該入れ歯を着脱自在に取り付ける入れ歯の取付構造に於て、上記入れ歯の該支持歯への取付状態にて、該支持歯の側面に、隣接する義歯に対向して突隆部を設け、該突隆部の内側と外側にそれぞれ上下方向に延びる凹溝が形成され、さらに、上記入れ歯には、上記突隆部に着脱自在の取付線材が付設され、かつ、該取付線材は、上記突隆部を挟むようにして上記凹溝に嵌め込まれる上記歯茎側へ開口したＵ字状の嵌合部と、該嵌合部の内方端から連続して内側へ延びる干渉逃げ部と、該干渉逃げ部の内方端に連設されると共に上記義歯床に埋設される固定部と、から成るものである。
【０００５】
また、入れ歯の非取付状態に於て、Ｕ字状の嵌合部の弯曲部の内幅寸法を開口部の内幅寸法よりも大きく設定し、かつ、弯曲部の内幅寸法と開口部の内幅寸法の差を、 0.1mm以上 0.4mm以下に設定した。
【０００６】
また、上記入れ歯の取付状態で、Ｕ字状の嵌合部の自由端部を外方へ弯曲状とし、該自由端部に歯茎色の樹脂部材を膨出状に被覆して、引掛け部を形成した。
【発明の効果】
【０００７】
本発明は、次のような著大な効果を奏する。
本発明に係る入れ歯の取付構造によれば、入れ歯の取付状態で、突隆部や取付線材は外側から見えることがなく、特に、入れ歯が、前歯に相当する位置やその近傍の目立つ位置に配置された場合でも、前方から見て美しいものである。
また、入れ歯の着脱が容易にできる。
また、構造が簡単であるので、作製が容易でありコストが軽減される。さらに、仮に、取付線材等が破損した場合でも、修理・交換が簡単にできる。
【発明を実施するための最良の形態】
【０００８】
以下、実施の形態を示す図面に基づき本発明を詳説する。
図１〜図４に示す第１の実施の形態に於て、１は上顎に取り付ける入れ歯であり、入れ歯１は、義歯２と義歯床４を有している。義歯床４は、歯茎色の樹脂部16と、上顎の内面に沿って形成された薄い金属片部15と、から成っている。金属片部15の左右には樹脂部16が配置され、樹脂部16には、義歯２が配設されている。また、上顎の歯茎６の前方中央部には、入れ歯１を着脱自在に取り付ける支持歯３, ３がある。
【０００９】
入れ歯１の支持歯３への取付状態に於て、支持歯３の側面に、隣接する義歯２に対向して金属製の突隆部５を付設している。支持歯３は、その裏面から突隆部５の付設部位にかけて、金属部25を有し、この金属部25の表面に突隆部５を付設しているが、他の付設方法で突隆部５を支持歯３へ付設してもよい。さらに、突隆部５の内側、外側及び下側（歯茎側と反対側）に、全体としてＵ字状の凹溝７を形成している（図３参照）。言い換えると、突隆部５は、支持歯３に付設される基部17と、基部17の先端に設けられる膨出部18と、から成っている。なお、凹溝７は、突隆部５の内側と外側にそれぞれ上下方向に延びるように形成されていてもよい。
【００１０】
入れ歯１には、支持歯３の突隆部５に着脱自在の取付線材13が付設され、取付線材13は、コバルトクロム合金鋼製で、その横断面の直径は 0.6mm〜1.2mm のものである。
図２に示すように、取付線材13は、歯茎６側（上側）へ開口したＵ字状の嵌合部８を有し、嵌合部８は、突隆部５を挟むようにして凹溝７に嵌め込まれている。さらに、嵌合部８の内方端から連続して内側へ延びる干渉逃げ部９が設けられ、干渉逃げ部９の内方端には、義歯床４の樹脂部16内に埋設される固定部10が連設されている。また、固定部10はＪ字状に弯曲して形成されているが、Ｓ字状にする等、義歯床４の形状等に応じて、固定部10の形状を変更することは自由である。
【００１１】
図４で示す入れ歯１の非取付状態に於て、Ｕ字状の嵌合部８の弯曲部の内幅寸法Ｗ1 は、開口部の内幅寸法Ｗ2 よりも大きく設定されている。さらに、弯曲部の内幅寸法Ｗ1 と開口部の内幅寸法Ｗ2 の差を、0.1mm 以上0.4mm 以下になるように設定している。弯曲部の内幅寸法Ｗ1 と開口部の内幅寸法Ｗ2 の差が、0.1mm 未満になると、嵌合部８が突隆部５を挟持するための弾発力が弱くなり、入れ歯１を支持歯３に安定して取り付けることができなくなり、その差が0.4mm より大きくなると、嵌合部８が凹溝７に嵌めにくくなったり、嵌合部８と凹溝７との当接部位が少なくなって入れ歯１の取付が不安定になるからである。また、開口部の内幅寸法Ｗ2 は、突隆部５の基部17の幅寸法より小さく設定されている。
【００１２】
次に、図５〜図７に示す第２の実施の形態に於て、入れ歯１は、義歯２と義歯床４を有している。義歯床４は、歯茎色の樹脂部16と、上顎の内面に沿って形成された薄い金属片部15と、から成っている。金属片部15の左右には樹脂部16が配置され、樹脂部16には、義歯２が配設されている。また、上顎の歯茎６の前方中央部には、入れ歯１を着脱自在に取り付ける支持歯３, ３がある。
【００１３】
入れ歯１の支持歯３への取付状態に於て、支持歯３の側面に、隣接する義歯２に対向して金属製の突隆部５を付設している。支持歯３は、その裏面から突隆部５の付設部位にかけて、金属部25を有し、この金属部25の表面に突隆部５を付設している。さらに、突隆部５の内側、外側及び下側（歯茎側と反対側）に、全体としてＵ字状の凹溝７を形成している。言い換えると、突隆部５は、支持歯３に付設される基部17と、基部17の先端に設けられる膨出部18と、から成っている。
【００１４】
図６に示すように、取付線材13は、歯茎６側（上側）へ開口したＵ字状の嵌合部８を有し、嵌合部８は、突隆部５を挟むようにして凹溝７に嵌め込まれている。さらに、嵌合部８の内方端から連続して内側へ延びる干渉逃げ部９が設けられ、干渉逃げ部９の内方端には、義歯床４の樹脂部16内に埋設される固定部10が連設されている。
【００１５】
嵌合部８の自由端部14（外方端部）を、外方へ弯曲状とし、その自由端部14の先端をループ状に弯曲させ、そこに歯茎色の樹脂部材12を被覆して、引掛け部11を形成している。樹脂部材12は、丸い粒型（水滴型）に形成されているが、球状や偏平状、又は、その他の形状であってもよい。
【００１６】
図７で示す入れ歯１の非取付状態に於て、Ｕ字状の嵌合部８の弯曲部の内幅寸法Ｗ1 は、開口部の内幅寸法Ｗ2 よりも大きく設定されている。さらに、弯曲部の内幅寸法Ｗ1 と開口部の内幅寸法Ｗ2 の差を、0.1mm 以上0.4mm 以下になるように設定している。弯曲部の内幅寸法Ｗ1 と開口部の内幅寸法Ｗ2 の差が、0.1mm 未満になると、嵌合部８が突隆部５を挟持するための弾発力が弱くなり、入れ歯１を支持歯３に安定して取り付けることができなくなり、その差が0.4mm より大きくなると、嵌合部８が凹溝７に嵌めにくくなったり、嵌合部８と凹溝７との当接部位が少なくなって入れ歯１の取付が不安定になるからである。
なお、図５、図６及び図７に於て、図１、図２及び図４と同一の符号は図１、図２及び図４と同様の構成であるので、説明を省略する。
【００１７】
また、本発明の入れ歯の取付構造は、設計変更自在であり、上述の実施の形態では、入れ歯１は上顎に取り付けるタイプであるが、入れ歯１は下顎に取り付けるタイプであってもよく、その場合は、支持歯３に付設された突隆部５と、入れ歯１に付設された取付線材13は、上下反転させたものとなる。また、入れ歯１の義歯床４は、金属片部15を有さない場合であってもよい。
また、例えば、義歯２が奥歯に相当するものであって、隣接する支持歯３（突隆部５）が１個しかない場合等では、入れ歯１に１個の取付線材13を付設すれば、入れ歯１の取付に十分であり、入れ歯１の形状や配置に応じて、取付線材13と突隆部５の個数を変更することは自由である。
【００１８】
上述した本発明である入れ歯の取付構造の使用方法（作用）について説明する。
図１に示す入れ歯１の非取付状態から、入れ歯１を持って歯茎６に向かって接近させ（上方向に動かし）、取付線材13の嵌合部８を対応する突隆部５の凹溝７に嵌め込む。取付状態では、Ｕ字状の嵌合部８が、その弾発力にて突隆部５を挟持している。
また、入れ歯１を取り外す時は、入れ歯１を持って歯茎６から離れるように（下方向に）動かし、凹溝７内から嵌合部８を引き抜く。
また、取付線材13が引掛け部11を備えている場合は、その引掛け部11に指を掛けて、入れ歯１を取り外せばよい。
【００１９】
以上のように、本発明である入れ歯の取付構造は、歯茎６に存在する支持歯３と、義歯２と義歯床４を有する入れ歯１を備え、支持歯３に入れ歯１を着脱自在に取り付ける入れ歯の取付構造に於て、入れ歯１の支持歯３への取付状態にて、支持歯３の側面に、隣接する義歯２に対向して突隆部５を設け、突隆部５の内側と外側にそれぞれ上下方向に延びる凹溝７が形成され、さらに、入れ歯１には、突隆部５に着脱自在の取付線材13が付設され、かつ、取付線材13は、突隆部５を挟むようにして凹溝７に嵌め込まれる歯茎６側へ開口したＵ字状の嵌合部８と、嵌合部８の内方端から連続して内側へ延びる干渉逃げ部９と、干渉逃げ部９の内方端に連設されると共に義歯床４に埋設される固定部10と、から成るので、入れ歯１の取付状態で、突隆部５や取付線材13は外側から見えることがなく、特に、入れ歯１が、前歯に相当する位置やその近傍の目立つ位置に配置された場合でも、前方から見て美しいものである。
また、入れ歯１の着脱が容易にできる。さらに、取付線材13は干渉逃げ部９を有するので、取付線材13の嵌合部８を、突隆部５の凹溝７にスムースに嵌め込むことができる。
また、構造が簡単であるので、作製が容易でありコストが軽減される。さらに、仮に、取付線材13等が破損した場合でも、修理・交換が簡単にできる。
【００２０】
また、入れ歯１の非取付状態に於て、Ｕ字状の嵌合部８の弯曲部の内幅寸法Ｗ1 を開口部の内幅寸法Ｗ2 よりも大きく設定し、かつ、弯曲部の内幅寸法Ｗ1 と開口部の内幅寸法Ｗ2 の差を、 0.1mm以上 0.4mm以下に設定したので、Ｕ字状の嵌合部８は、その弾発力にて突隆部５を挟持でき、入れ歯１を安定して取り付けることができる。
【００２１】
また、入れ歯１の取付状態で、Ｕ字状の嵌合部８の自由端部14を外方へ弯曲状とし、自由端部14に歯茎色の樹脂部材12を膨出状に被覆して、引掛け部11を形成したので、入れ歯１の取り外しが、さらに容易になる。自由端部14は歯茎色の樹脂部材12で被覆されているので、引掛け部11は外から目立つことがない。
【図面の簡単な説明】
【００２２】
【図１】本発明の第１の実施の形態を示す斜視図である。
【図２】要部斜視図である。
【図３】要部側面図である。
【図４】要部斜視図である。
【図５】第２の実施の形態を示す斜視図である。
【図６】要部斜視図である。
【図７】要部斜視図である。
【符号の説明】
【００２３】
１  入れ歯
２  義歯
３  支持歯
４  義歯床
５  突隆部
６  歯茎
７  凹溝
８  嵌合部
９  干渉逃げ部
10  固定部
11  引掛け部
12  樹脂部材
13  取付線材
14  自由端部
Ｗ1   弯曲部の内幅寸法
Ｗ2   開口部の内幅寸法
【図１】
2006081661.tif 000003
【図２】
2006081661.tif 000004
【図３】
2006081661.tif 000005
【図４】
2006081661.tif 000006
【図５】
2006081661.tif 000007
【図６】
2006081661.tif 000008
【図７】
2006081661.tif 000009